(57)【要約】【課題】本発明は、バンドとバックルの係合強度が経時的に低下することがなく、かつ、軽量で小型なバックルについて、製作が極めて容易なバックルを提供することを目的とするものである。【解決手段】本発明のバックルは、バンド外表面に形成した鋸歯状の係合溝にバックルの係合爪を係合可能としたバックルであって、バックル本体は２つのパーツに分割され、該パーツの一方に操作片を仮設置すると共に他方のパーツに制御片を仮設置し、２つのパーツをドッキングすることにより、前記操作片と前記制御片が同時にバックル本体に固定されることを特徴とする。【選択図】図１
2015163107.tif 000002
【特許請求の範囲】
【請求項１】
バンド外表面に形成した鋸歯状の係合溝にバックルの係合爪を係合可能としたバックルであって、
該バックルは、対向する底板と天板および両者を接続する側板とからなり内部をバンドの挿通空間としたバックル本体と、該バックル本体の内側に連結軸を介して揺動自在に設置され、一端部に前記バンドの係合溝に係合可能な係合爪を有する操作片と、該操作片の揺動を制御する制御片とから構成されるバックルにおいて、
前記バックル本体は２つのパーツに分割され、該分割された一方のパーツは前記バンドの挿通空間と前記連結軸を受ける軸受を有し、他方のパーツは前記制御片を受ける棚部と前記軸受と対になった軸受とを有し、
前記いずれかの軸受に前記操作片を仮設置すると共に前記棚部に前記制御片を仮設置し、
前記分割された２つのパーツをドッキングすることにより、前記操作片と前記制御片が同時にバックル本体に固定されることを特徴とするバックル。  
【請求項２】
前記分割された２つのパーツを無理嵌めによりドッキングすることを特徴とする請求項１記載のバックル。
【請求項３】
前記バンドの係合溝に前記係合爪を係合させ該係止状態において前記バンドを前記バックルの挿通空間内に進入させていくと、前記バンドが前記操作片の係合爪に接触して前記操作片の一端部を押し上げながら前進し、前記操作片は前記制御片に接触することによる反動で初期状態に戻ることによってバンドはバックルに接近自在であるが後退不能とされる請求項１または２記載のバックル。
【請求項４】
前記制御片が前記操作片の近傍を移動可能であり、前記制御片を移動することにより前記バンドとバックルの係合をロックまたは解除することのできる請求項１〜３のいずれかに記載のバックル。  
【発明の詳細な説明】
【技術分野】
【０００１】
この発明は、係合溝を有するバンドまたはベルトを係止するためのバックルに関し、特に、時計バンド、スマートフォンまたは携帯型ミュージックプレーヤー用のアームバンドまたはリストバンド、靴または靴用のバンドまたはベルトと一緒に用いられるバックルに関するものである。
【背景技術】
【０００２】
本発明者は、特許第５１９２６０７号（特許文献１）において、特に、時計バンド、スマートフォンまたは携帯型ミュージックプレーヤー用のアームバンドまたはリストバンド、靴または靴用のバンドまたはベルトと一緒に用いられるバックルに関するものして、バンド外表面に形成した鋸歯状の係合溝にバックルの係合爪を係合可能としたバックルであって、該バックルは、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作片とから構成すると共に、該操作片を中間点にて前記両側板を結ぶ連結軸で支承することにより該中間点を支点として揺動自在としたバックルにおいて、前記操作片の揺動を制御する制御片が前記バックル本体に設けられ、前記バンドの係合溝に前記係合爪を係合させ該係止状態において前記バンドを前記バックルの挿通空間内に進入させていくと、前記バンドの上面が前記操作片の係合爪に接触して前記操作片の一端部を押し上げながら前進し、前記操作片は前記制御片に接触することによる反動で初期位置に戻ることによってバンドはバックルに接近自在であるが後退不能とされることを特徴とするバックルを提案している。
【０００３】
このバックルは、バンドとバックルの係止状態において前記制御片が前記操作片の揺動を制御するバネの機能を果たすため、バンドとバックルの係合強度が経時的に低下することがない。しかしながら、バックル本体を小型化しようとすると、前記操作片や前記制御片をバックルに設置することが困難となるため、生産効率が悪くなりコスト高になるという問題があった。    
【先行技術文献】
【特許文献】
【０００４】
【特許文献１】特許第５１９２６０７号公報
【発明の概要】
【発明が解決しようとする課題】
【０００５】
本発明は、バンドとバックルの係合強度が経時的に低下することがなく、かつ、軽量で小型なバックルについて、製作が極めて容易なバックルを提供することを目的とするものである。
【課題を解決するための手段】
【０００６】
本発明のバックルは、バンド外表面に形成した鋸歯状の係合溝にバックルの係合爪を係合可能としたバックルであって、該バックルは、対向する底板と天板および両者を接続する側板とからなり内部をバンドの挿通空間としたバックル本体と、該バックル本体の内側に連結軸を介して揺動自在に設置され、一端部に前記バンドの係合溝に係合可能な係合爪を有する操作片と、該操作片の揺動を制御する制御片とから構成されるバックルにおいて、前記バックル本体は２つのパーツに分割され、該分割された一方のパーツは前記バンドの挿通空間と前記連結軸を受ける軸受を有し、他方のパーツは前記制御片を受ける棚部と前記軸受と対になった軸受とを有し、前記いずれかの軸受に前記操作片を仮設置すると共に前記棚部に前記制御片を仮設置し、前記分割された２つのパーツをドッキングすることにより、前記操作片と前記制御片が同時にバックル本体に固定されることを特徴とする。  
ことを特徴とする。
【０００７】
前記分割された２つのパーツを無理嵌めによりドッキングすることが好ましい。
【０００８】
前記バンドの係合溝に前記係合爪を係合させ該係止状態において前記バンドを前記バックルの挿通空間内に進入させていくと、前記バンドが前記操作片の係合爪に接触して前記操作片の一端部を押し上げながら前進し、前記操作片は前記制御片に接触することによる反動で初期状態に戻ることによってバンドはバックルに接近自在であるが後退不能とされることが好ましい。
【０００９】
前記制御片が前記操作片の近傍を移動可能であり、前記制御片を移動することにより前記バンドとバックルの係合をロックまたは解除できることが好ましい。
【発明の効果】
【００１０】
本発明によれば、バンドとバックルの係合強度が経時的に低下することがなく、かつ、軽量で小型なバックルについて、製作が極めて容易なバックルを得ることができる。また、デザインの自由度が極めて高い。
【図面の簡単な説明】
【００１１】
【図１】本発明のバックル２０の斜視図である。
【図２】バックル本体２４Ａに操作片３０を仮設置した状態を示す斜視図（図２（１））、およびバックル本体２４Ｂに制御片４０を仮設置した状態を示す斜視図（図２（２））である。
【図３】バックル２０とバンド１０の係合状態を示す要部縦断側面図である。
【発明を実施するための形態】
【００１２】
以下、本発明に係るバックルの実施形態を、図面に基づいて説明する。
図１（１）は本発明のバックル２０の斜視図であり、バックル２０は、底板２１、これに対向する天板２２、および底板２１と天板２２とを接続する側板２３、２３とからなる偏平かつ筒状のバックル本体２４により主体が構成されている。  
【００１３】
バックル本体２４はバンドのスライド方向が挿通口として開口され、その内部はバンドの挿通空間２６となる。図示しないが、底板２１の長手方向（バンドのスライド方向）の長さを天板２２の長手方向の長さよりも長くすることにより、バックル２０の被接続体（即ち、時計等）への取付を容易にすると共に、バンドの挿通がスムーズに行われるようにすることができる。また、天板２２の長手方向の長さを底板２１の長手方向の長さよりも長くすることによっても同様の効果を得ることができる。
【００１４】
本発明において、バックル本体２４は２つのパーツに分割される。図１（２）はその分割された一方のバックル本体２４Ａとバックル２０を構成する操作片３０であり、操作片３０はバックル本体２４Ａから上方に分離して図示されている。バックル本体２４Ａは前記バンドの挿通空間２６と後記する操作片３０の連結軸３５を受ける軸受２５Ａ、２５Ａを有する。操作片３０の一端部には、バンドの係合溝に係合可能な係合爪３１を突設している。
【００１５】
操作片３０の長手方向の中間部には、連結軸３５が形成される。この実施形態では連結軸３５の断面を円形としたが、楕円形、その他種々の断面形状とすることができる。連結軸３５は操作片３０を揺動自在に軸支すると共に、滑らかな操作性を確保する為に可及的に細くすることが望まれるが、反復的な揺動により破損しない形状、大きさとすれば良い。  
【００１６】
本発明において、連結軸３５の材質に格別の制限はなく、弾性を有する合成樹脂の他、弾性を有しない金属や樹脂等の硬い素材を用いても良い。これらの硬い素材を用いた場合は連結軸３５自体の強度が上がるので、バンドとバックル２０の係合強度が向上する。連結軸３５は別部品として操作片３０に固定しても良いが、予め操作片３０と一体に成型した方がバックル２０の強度が向上し製造工程も簡略化される。
【００１７】
図１（３）は分割された他方のバックル本体２４Ｂと前記操作片３０の揺動を制御する制御片４０であり、制御片４０はバックル本体２４Ｂから下方に分離して図示されている。バックル本体２４Ｂには制御片４０を受ける棚部２７が形成される。本実施形態では制御片４０の一端部にスリットを形成することにより弾性部４３を設けている。弾性部４３は必ずしも必要ではなく、制御片４０は前記操作片３０の揺動を制御することのできる形状であれば良い。また、図示しないが、バックル本体２４Ｂの裏面には前記軸受２５Ａ、２５Ａと対になった軸受２５Ｂ、２５Ｂが形成される。これらの軸受の形状に格別の制限はなく、後記するようにバックル本体２４Ａ、２４Ｂをドッキングしたときに操作片３０がバックル２０に固定される形状であれば良い。
【００１８】
本発明のバックル２０を製造する際は、先ず、前記バックル本体２４Ａの軸受２５Ａまたは前記バックル本体２４Ｂの軸受２５Ｂに前記操作片３０を仮設置すると共に、前記バックル本体２４Ｂの棚部２７に前記制御片４０を仮設置する。図２（１）はバックル本体２４Ａに前記操作片３０を仮設置した状態を示す斜視図であり、図２（２）はバックル本体２４Ｂに前記制御片４０を仮設置した状態を示す斜視図である。この仮設置状態において、前記操作片３０および前記制御片４０はバックル本体２４Ａ、２４Ｂからそれぞれ自由に取り外すことができるが、バックル本体２４Ａ、２４Ｂをドッキングすることにより、前記操作片３０と前記制御片４０が同時にバックル本体２４に固定される。具体的には、バックル本体２４Ｂに形成した爪２８Ｂをバックル本体２４Ａに形成した凹部２８Ａに無理嵌めしてドッキングする。図１（１）は、このバックル本体２４Ａ、２４Ｂがドッキングした状態を示す斜視図である。
【００１９】
バックル本体２４Ａ、２４Ｂのドッキング方法に格別の制限はなく、接着剤等を用いてドッキングすることもできる。無理嵌めによるドッキング方法によれば、接続強度が上がると共にバックル２０の製造が容易になる。本実施形態では、バックル本体２４Ｂに形成した爪２８Ｂをバックル本体２４Ａに形成した凹部２８Ａに嵌合することによる無理嵌め方法を採用したが、当該無理嵌め方法に格別の制限はない。
本発明によれば、バックル本体２４Ａ、２４Ｂをドッキングするのみで、操作片３０と制御片４０が同時にバックル本体２４に固定されるので、小型のバックルを製作する場合であっても製造が極めて容易である。
【００２０】
本実施形態において、制御片４０は操作片３０の近傍をバンドの進退方向にスライド移動可能に設置される。制御片４０はスライド操作部４２と一体となってバックル本体２４に設けられている。スライド操作部４２の形状と大きさに格別の制限はなく、片手の指先を引っ掛けることのできる程度の大きさと形状を有していれば良い。スライド操作部４２は制御片４０に必ずしも設ける必要はないが、これを設けることにより制御片４０のスライド操作を容易とすることができる。  
【００２１】
続いて、上記バックル２０の作用を説明する。図３（１）は、バックル２０とバンド１０の係合状態を示す要部縦断側面図である。
図３（１）において、バックル２０の挿通空間２６内にバンド１０が挿入され、バンド１０の外表面に形成された係合溝１２に、バックル２０の係合爪３１が係合した状態を示している。係合溝１２はスライド方向の断面形状が鋸歯状、即ち、バンド１０の進行方向に向けて漸次深くなるテーパ面と、この最深位置より略垂直に立上る壁面とからなっている。
【００２２】
図３（１）において、バンド１０をバックルの左側の挿通口から挿通空間２６内に進入させていくと、バンド１０の上面が操作片３０の係合爪３１に接触して、操作片３０の一端部を押し上げながら前進し、係合爪３１は係合溝１２から外れる（図３（２）参照。）。さらにバンド１０を進入させていくと、操作片３０の一端部は制御片４０の弾性部４３に接触することによる反動で初期位置に戻り、係合爪３１は隣の係合溝１２と噛み合う（図３（３）参照。）。バンド１０はこの動作を繰り返しながら、挿通空間２６内を進入し、バックル２０に対するバンド１０の接近・離隔位置が調節される。つまり、この状態では係合爪３１が所定の係合溝１２と噛み合って係止し、バンド１０はバックル２０に対して進出自在であるが、後退不能とされる。
【００２３】
本実施形態において、制御片４０が操作片３０の一端部をバンド１０の係合溝１２側に付勢するバネの機能を果たすため、連結軸３５自体にバネの機能を持たせる必要がない。従って、連結軸３５に弾性を有しない金属や樹脂等の素材を用いれば、バックルを小型化するために連結軸３５を細くしても、バンド１０をバックル２０から引き離す方向に強い力が作用した際に連結軸３５が破損する虞はない。また、連結軸３５の弾性力がクリープ現象（合成樹脂に対して長時間強い圧力がかかっていると合成樹脂がゆっくりと変形する性質）に起因して経時的に低下することによる係合強度弱化の虞もない。
さらに、コイルバネ等を別部品として設ける必要はなく、部品点数を最小限に抑えることができることに加えて、バックル２０の構造をより簡便なものとすることができる。
【００２４】
制御片４０を操作片３０の他端部側にスライドさせれば、図３（４）に示すように、連結軸３５を中心として操作片３０が回転する結果、反対側に位置するする係合爪３１が持ち上がり、係合爪３１が係合溝１２から外れるので、バンド１０を自由にスライドさせることができる。制御片４０を元の位置に戻せば、操作片３０は元の状態に復帰する。
【００２５】
制御片４０のスライド方向に格別の制限はない。図示しないが、制御片４０を操作片３０の係合爪３１側に移動すると制御片４０により操作片３０の係合爪３１側が直接持ち上がり、その結果として前記バンド１０とバックル２０の係合が解除される構造を採用することもできる。
本実施形態によれば、制御片４０をスライドさせればバンド１０を片手で自由にバックル２０から引き抜くことが可能となる。したがって、片手操作が必須である時計バンド等に用いられるバックルとして最適である。  
【００２６】
また、制御片４０を移動することによりバンド１０とバックル２０の係合をロックできるようにすることも可能である。この場合、制御片４０を操作片３０の係合爪３１側にスライドさせたときに、制御片４０が係合爪３１を係合溝１２から外れない程度に押さえつけるように設定すれば良い。
【００２７】
前記係合をロックするためのスライド方向に格別の制限はない。スライド片４０を操作片３０の他端部３２側に移動したときに、スライド片４０により操作片３０の他端部３２側が持ち上がり、連結軸３５を中心として操作片３０が回転する結果、反対側に位置するする係合爪３１が係合溝１２とより一層強く噛み合い、その結果として前記バンド３０とバックル１０の係合がロックされる構造を採用することができる。
【００２８】
これまで説明した実施形態ではバンド１０の外表面に沿って係合溝１２を形成したが、本発明においてバンド１０の係合溝１２の形成方法に格別の制限はない。係合溝１２の形成方法によってバックル２０の形状が適宜決定される。
【符号の説明】
【００２９】
１０    バンド
１２    係合溝
２０    バックル
２４    バックル本体
２６    挿通空間
３０    操作片
３１    係合爪
３５    連結軸
４０    制御片
４３    弾性部
【図１】
2015163107.tif 000003
【図２】
2015163107.tif 000004
【図３】
2015163107.tif 000005